(57)【要約】      （修正有）【課題】ＬＥＤランプの着脱が容易に実施できるＬＥＤランプを提供する。【解決手段】ＬＥＤランプは、前部装飾品１と、ＬＥＤモジュール２と、電源収納部３と、前記電源収納部の下方に形成されている電源収納部カバー４と、前記電源収納部の内部に収納されている電源とを含み、各部品中の少なくとも２つの部品の間には、対応するフックによる係合連結方式によって着脱可能に連結されている。前記前部装飾品とＬＥＤモジュールの間、或いは、前記電源収納部と前記電源収納部カバーの間には、第一係合モジュールにより着脱可能に係合され、前記電源収納部と前記電源は、第二係合モジュールにより着脱可能に係合されている。【選択図】図１
0003169783.tif 000002
【実用新案登録請求の範囲】
【請求項１】
前部装飾品と、ＬＥＤモジュールと、電源収納部と、前記電源収納部の下方に形成されている電源収納部カバーと、前記電源収納部の内部に収納されている電源と、を含むＬＥＤランプであって、各部品中の少なくとも２つの部品の間には、対応するフックによる係合連結方式によって着脱可能に連結されていることを特徴とするＬＥＤランプ。
【請求項２】
前部装飾品とＬＥＤモジュールの間、或いは、電源収納部と電源収納部カバーの間には、第一係合モジュールにより着脱可能に係合され、電源収納部と電源は、第二係合モジュールにより着脱可能に係合されていることを特徴とする請求項１に記載のＬＥＤランプ。
【請求項３】
第一係合モジュールは、前部装飾品とＬＥＤモジュールの中の一方或いは電源収納部と電源収納部カバーの中の一方に形成されている第一フックと、他方に形成されている前記第一フックを係合させる掛け部と、を含むことを特徴とする請求項２に記載のＬＥＤランプ。
【請求項４】
前記第一フックは、固定部と、操作部と、弾性伸縮部と、鉤形部と、を含み、前記操作部の一端は、第一回転軸によって固定部に回転可能に係合され、弾性伸縮部の一端は、前記第一回転軸と離間している第二回転軸によって操作部に回転可能に係合され、前記弾性伸縮部の他端は、第三回転軸によって鉤形部の一端に回転可能に係合され、前記鉤形部の他端は、前記掛け部に係合され、前記第二係合モジュールは、電源収納部の底面に形成され且つ端部に湾曲部が形成されている留め金を含み、前記第二係合モジュールの湾曲部は、電源の突出部に係合されていることを特徴とする請求項３に記載のＬＥＤランプ。
【請求項５】
前記ＬＥＤモジュールは、Ｎ個のＬＥＤ組合と、ガイド部が形成されているＮ＋１個の支持部と、を含み、各々のＬＥＤ組合の両側には、ガイド部と係合してＬＥＤ組合が隣接する２つの支持部の中間部に置かれるようにスライド部が形成され、支持部の一端は、ネジなどによって電源収納部３の側面に装着されていることを特徴とする請求項２に記載のＬＥＤランプ。
【請求項６】
前記電源収納部カバーは、連結線により電源収納部の中に繋げられていることを特徴とする請求項２に記載のＬＥＤランプ。
【請求項７】
ＬＥＤランプには、ＬＥＤランプが水平に装着されているか否かを検査する水準器がさらに形成されていることを特徴とする請求項１に記載のＬＥＤランプ。
【請求項８】
前記ＬＥＤランプは、ＬＥＤ街路灯であり、前記ＬＥＤ組合は、下方に向かって形成されるＬＥＤランプと、前記ＬＥＤランプの上に形成されている放熱装置と、を含み、前記放熱装置には、複数のアーチ形部品が形成され、前記アーチ形部品の底面と前記支持部には、アーチ形部品を支持部に固定するための複数の穴部が形成されていることを特徴とする請求項２に記載のＬＥＤランプ。
【請求項９】
前記ＬＥＤランプには、外部の光強度によりＬＥＤランプを開閉する第一ライトコントロール装置と、外部の光強度によりＬＥＤランプの輝度を調節する第二ライトコントロール装置がさらに形成されていることを特徴とする請求項８に記載のＬＥＤランプ。
【請求項１０】
前記電源収納部の中の前記電源の両側には、電源収納部の内部の電気線を片付けるコネクタが形成されていることを特徴とする請求項１から７のいずれか１項に記載のＬＥＤランプ。
【考案の詳細な説明】
【技術分野】
【０００１】
本考案は、ＬＥＤ（発光ダイオード、Light Emitting Diode）に関し、特にＬＥＤランプに関する。
【背景技術】
【０００２】
現在、様々なＬＥＤランプが幅広く使用されている。ＬＥＤランプの一種であるＬＥＤ街路灯は、通常、高い箇所に装着されているので、ＬＥＤ街路灯の着脱とメンテナンスの便利性を考えなければならない。現在のＬＥＤ街路灯は、通常ネジによって組み立てられている。ネジによって組み立てられたＬＥＤ街路灯は、組み立ての安定性を高めることができるが、ＬＥＤ街路灯の分解とメンテナンスが不便である欠点がある。新しい作業員或いは年を取る作業員にとって上述するＬＥＤ街路灯の分解とメンテナンスがさらに不便である可能性がある。
【考案の概要】
【考案が解決しようとする課題】
【０００３】
本考案の主な目的は、ＬＥＤランプの着脱が容易に実施できるＬＥＤランプを提供することにある。
【課題を解決するための手段】
【０００４】
上記課題を解決するために、本考案のＬＥＤランプは、前部装飾品と、ＬＥＤモジュールと、電源収納部と、前記電源収納部の下方に形成されている電源収納部カバーと、前記電源収納部の内部に収納されている電源と、を含み、各部品中の少なくとも２つの部品の間には、対応するフックによる係合連結方式によって着脱可能に連結されている。
【考案の効果】
【０００５】
本考案のＬＥＤランプによれば、少なくとも２つの部品の間には、対応するフックによる係合構造によって着脱可能に係合されているため、ＬＥＤランプの組み立ての安定性が高くなり、ＬＥＤランプを容易に着脱することができる。且つ、新しい作業員、或いは、お年寄りの作業員も前記ＬＥＤランプを容易に着脱することができる。
【図面の簡単な説明】
【０００６】
【図１】本考案の実施形態に係るＬＥＤ街路灯を示す斜視図である。
【図２】本考案の実施形態に係るＬＥＤ街路灯を示す正面図である。
【図３】本考案の実施形態に係るＬＥＤ街路灯を示す平面図である。
【図４】本考案の実施形態に係るＬＥＤ街路灯を示す底面図である。
【図５】本考案の実施形態に係るＬＥＤ街路灯の電源収納部カバーを開けた状態を示す斜視図である。
【図６】本考案の実施形態に係るＬＥＤ街路灯を示す分解図である。
【図７】本考案の実施形態に係るＬＥＤ街路灯の係合モジュールを示す斜視図である。
【考案を実施するための形態】
【０００７】
本考案の実施形態に係るＬＥＤランプは、複数の係合部品から構成される係合モジュールを含む。前記係合モジュールは、係合部品に形成されているフックによって前記ＬＥＤランプの各部品を着脱可能に係合させる。本考案のＬＥＤランプは、ＬＥＤ街路灯、ＬＥＤ照射ランプ、或いは、他のＬＥＤランプの中の一種である。各ＬＥＤランプの係合モジュールの構造が少し相違しても、係合部品のフックによって着脱可能に係合される２つ以上の係合構造を含むと、本考案により保護範囲に属すると見なすことができる。以下、本考案に添付される図面を参照しながら、本考案の実施形態に係るＬＥＤランプに対して詳しく説明する。本考案のＬＥＤランプに関する説明を簡単にするために、以下ＬＥＤ街路灯を例にして説明する。
【０００８】
図１〜図７は、本考案の実施形態に係るＬＥＤ街路灯を示す図である。本考案のＬＥＤ街路灯は、前後順に形成されている前部装飾品１と、ＬＥＤモジュール２と、電源収納部３と、前記電源収納部３の下方に形成されている電源収納部カバー４と、前記電源収納部３の内部に収納されている電源５と、を含む。前記前部装飾品１と前記ＬＥＤモジュール２、或いは前記電源収納部３と前記電源収納部カバー４は、第一係合モジュールにより着脱可能に係合されている。前記電源収納部３と前記電源５は、第二係合モジュール２６により着脱可能に係合されている。前記第一係合モジュールは、前部装飾品１とＬＥＤモジュール２の中の一方或いは前記電源収納部３と電源収納部カバー４の中の一方に形成されている第一フック７と、他方に形成されている前記第一フック７と係合する掛け部６と、を含む。
【０００９】
前記掛け部６は、前記前部装飾品１と電源収納部カバー４の側面に形成されている。前記第一フック７は、前記掛け部６と係合することができる前記ＬＥＤモジュール２と電源収納部３の箇所に形成されている。図７に示すように、前記第一フック７は、固定部８と、操作部９と、弾性伸縮部１０と、鉤形部１１と、を含む。前記操作部９の一端は、第一回転軸１２によって前記固定部８に回転可能に係合されている。前記弾性伸縮部１０の一端は、前記第一回転軸１２と離れている第二回転軸１３によって前記操作部９に回転可能に係合されている。前記弾性伸縮部１０の他端は、第三回転軸２４によって前記鉤形部１１の一端に回転可能に係合されている。
【００１０】
前記第二係合モジュール２６は、前記電源収納部３の底面に形成され、且つ端部に湾曲部２８が形成されている留め金を含む。前記電源５の側面には、突出部２７が形成されている。前記電源５を前記電源収納部３に装着する（収納させる）場合、前記第二係合モジュール２６の湾曲部２８が前記電源５の突出部２７に掛かり、前記電源５を前記電源収納部３から分離させる（抜く）場合、前記湾曲部２８が前記突出部２７から脱離することができる。前記第二係合モジュール２６は、ＬＥＤ街路灯の係合安定性を維持するだけでなく、ＬＥＤ街路灯を着脱する効率を向上させることができる。且つ、新しい作業員或いはお年寄りの作業員も本考案のＬＥＤ街路灯を容易に着脱することができる。
【００１１】
図６に示すように、前記ＬＥＤモジュール２は、Ｎ個のＬＥＤ組合１４と、ガイド部１５が形成されているＮ＋１個の支持部１６と、を含む。各々のＬＥＤ組合１４の両側には、前記ガイド部１５に係合するスライド部１７が形成されている。前記ガイド部１５と前記スライド部１７の係合によって、前記ＬＥＤ組合１４が隣接する２つの支持部１６の中間部に置かれる。前記支持部１６の一端は、ネジなどによって前記電源収納部３の側面に垂直に装着されている。本考案の実施形態で、２つのＬＥＤ組合１４を設置するが、他の実施形態では、実際需要に基づいてＬＥＤ組合１４の個数を加減することができる。
【００１２】
本実施形態のＬＥＤ街路灯には、電源収納部カバー４を電源収納部３の中に繋げる連結線２５がさらに形成されている。前記連結線２５は、分離する電源収納部カバー４がＬＥＤ街路灯から完全に離れて、地面に落ちることを防ぐことができる。
【００１３】
本実施形態のＬＥＤ街路灯には、ＬＥＤ街路灯を水平に装着するための水準器１８がさらに形成されている。前記水準器１８は、ＬＥＤ街路灯を水平に設置しなければならない場合、他の水準器を使用しなくても、ＬＥＤ街路灯を容易に水平に装着することができる。
【００１４】
前記ＬＥＤ組合１４は、下方に形成されるＬＥＤランプと、前記ＬＥＤランプの上に形成される放熱装置１９と、を含む。前記放熱装置１９には、複数のアーチ形部品２０が形成されている。前記アーチ形部品２０の底面と前記支持部１６には、アーチ形部品２０を支持部１６に固定させるための複数の穴部２１が別々に形成されている。前記放熱装置１９に複数のアーチ形部品２０が形成されているため、ＬＥＤランプを保護すると共に、放熱装置１９の放熱面積を増やして放熱効果をさらに向上させることができる。且つ、アーチ形部品２０の上に降る雨が両側へ流れるようにすることもできる。
【００１５】
本実施形態のＬＥＤ街路灯には、外部の光強度によりＬＥＤランプを開閉する第一ライトコントロール装置２２と、外部の光強度によりＬＥＤランプの輝度を調節する第二ライトコントロール装置２３がさらに形成されている。本実施形態で、前記第一ライトコントロール装置２２は、前記電源収納部３の上に形成され、前記第二ライトコントロール装置２３は、前記電源収納部３の下方に形成されている。
【００１６】
前記電源収納部３の中の前記電源５の両側には、前記電源の入出力線、前記ライトコントロール装置の入出力線などが電気接続させているコネクタ２９がさらに形成されている。前記コネクタ２９に様々な電気線が電気的に接続されているため、作業と検査をより容易に実施することができる。
【符号の説明】
【００１７】
１  前部装飾品
２  ＬＥＤモジュール
３  電源収納部
４  電源収納部カバー
５  電源
６  掛け部
７  第一フック
８  固定部
９  操作部
１０  弾性伸縮部
１１  鉤形部
１２  第一回転軸
１３  第二回転軸
１４  ＬＥＤ組合
１５  ガイド部
１６  支持部
１７  スライド部
１８  水準器
１９  放熱装置
２０  アーチ形部品
２１  穴部
２２  第一ライトコントロール装置
２３  第二ライトコントロール装置
２４  第三回転軸
２５  連結線
２６  第二係合モジュール
２７  突出部
２８  湾曲部
２９  コネクタ
【図１】
0003169783.tif 000003
【図２】
0003169783.tif 000004
【図３】
0003169783.tif 000005
【図４】
0003169783.tif 000006
【図５】
0003169783.tif 000007
【図６】
0003169783.tif 000008
【図７】
0003169783.tif 000009
【手続補正書】
【提出日】平成23年6月22日(2011.6.22)
【手続補正１】
【補正対象書類名】実用新案登録請求の範囲
【補正対象項目名】全文
【補正方法】変更
【補正の内容】
【実用新案登録請求の範囲】
【請求項１】
前部装飾品と、ＬＥＤモジュールと、電源収納部と、前記電源収納部の下方に形成されている電源収納部カバーと、前記電源収納部の内部に収納されている電源と、を含むＬＥＤランプであって、前部装飾品（１）とＬＥＤモジュール（２）の間、或いは、電源収納部（３）と電源収納部カバー（４）の間には、第一フック（７）と掛け部（６）からなる第一係合モジュールにより着脱可能に係合され、電源収納部（３）と電源（５）は、第二係合モジュール（２６）により着脱可能に係合されていることを特徴とするＬＥＤランプ。
【請求項２】
第一係合モジュールは、前部装飾品とＬＥＤモジュールの中の一方或いは電源収納部と電源収納部カバーの中の一方に形成されている第一フックと、他方に形成されている前記第一フックを係合させる掛け部と、を含むことを特徴とする請求項１に記載のＬＥＤランプ。
【請求項３】
前記第一フックは、固定部と、操作部と、弾性伸縮部と、鉤形部と、を含み、前記操作部の一端は、第一回転軸によって固定部に回転可能に係合され、弾性伸縮部の一端は、前記第一回転軸と離間している第二回転軸によって操作部に回転可能に係合され、前記弾性伸縮部の他端は、第三回転軸によって鉤形部の一端に回転可能に係合され、前記鉤形部の他端は、前記掛け部に係合され、前記第二係合モジュールは、電源収納部の底面に形成され且つ端部に湾曲部が形成されている留め金を含み、前記第二係合モジュールの湾曲部は、電源の突出部に係合されていることを特徴とする請求項２に記載のＬＥＤランプ。
【請求項４】
前記ＬＥＤモジュールは、Ｎ個のＬＥＤ組合と、ガイド部が形成されているＮ＋１個の支持部と、を含み、各々のＬＥＤ組合の両側には、ガイド部と係合してＬＥＤ組合が隣接する２つの支持部の中間部に置かれるようにスライド部が形成され、支持部の一端は、ネジなどによって電源収納部３の側面に装着されていることを特徴とする請求項１に記載のＬＥＤランプ。
【請求項５】
前記電源収納部カバーは、連結線により電源収納部の中に繋げられていることを特徴とする請求項１に記載のＬＥＤランプ。
【請求項６】
ＬＥＤランプには、ＬＥＤランプが水平に装着されているか否かを検査する水準器がさらに形成されていることを特徴とする請求項１に記載のＬＥＤランプ。
【請求項７】
前記ＬＥＤランプは、ＬＥＤ街路灯であり、前記ＬＥＤ組合は、下方に向かって形成されるＬＥＤランプと、前記ＬＥＤランプの上に形成されている放熱装置と、を含み、前記放熱装置には、複数のアーチ形部品が形成され、前記アーチ形部品の底面と前記支持部には、アーチ形部品を支持部に固定するための複数の穴部が形成されていることを特徴とする請求項１に記載のＬＥＤランプ。
【請求項８】
前記ＬＥＤランプには、外部の光強度によりＬＥＤランプを開閉する第一ライトコントロール装置と、外部の光強度によりＬＥＤランプの輝度を調節する第二ライトコントロール装置がさらに形成されていることを特徴とする請求項７に記載のＬＥＤランプ。
【請求項９】
前記電源収納部の中の前記電源の両側には、電源収納部の内部の電気線を片付けるコネクタが形成されていることを特徴とする請求項１から６のいずれか１項に記載のＬＥＤランプ。